(57)【要約】【課題】ウエアラブルエレクトロニクスにおいて、外れにくい状態で、容易に配線などが電気的に接続できるようにする。【解決手段】衣服に装着されて可撓性を有するシート状の導電性部材１０に形成されたベロ３１と、第２の接続部１３に接続した可撓性を有するリード帯１６に取り付けられたベロ３１ａとは、導電性部材１０及びリード帯１６それぞれの端部から互いに異なる方向に延在しており、かつ導電性部材１０及びリード帯１６の幅よりも短い幅である。【選択図】図６Ａ
2018136990.tif 000002
【特許請求の範囲】
【請求項１】
衣服に装着されて可撓性を有するシート状の導電性部材と、
前記導電性部材に電気的に接続する剛性材料からなる第１の接続部と、
前記第１の接続部を前記導電性部材に押し付けて前記第１の接続部を前記導電性部材に電気的に接続させて固定する押し付け手段と、
前記第１の接続部と着脱可能とされた剛性材料からなる第２の接続部と、
前記衣服に装着されて前記第２の接続部に接続した可撓性を有するリード帯と、
前記導電性部材の前記第１の接続部が取り付けてある近傍、および前記リード帯の前記第２の接続部が取り付けてある近傍の各々に形成されたベロと
を備え、
前記導電性部材に形成された前記ベロと前記リード帯に取り付けられたベロとは、前記導電性部材及び前記リード帯それぞれの端部から互いに異なる方向に延在しており、かつ前記導電性部材及び前記リード帯の幅よりも短い幅である
ことを特徴とする接続部品。
【請求項２】
請求項１記載の接続部品において、
前記第１の接続部および前記第２の接続部は、スナップボタンであり、
前記第１の接続部は凸部を備え、前記第２の接続部は凹部を備える
ことを特徴とする接続部品。
【請求項３】
請求項２記載の接続部品において、
前記第１の接続部は、複数の貫通孔を備え、
前記第１の接続部は、前記第１の接続部が備える貫通孔を通した導電性糸により前記導電性部材に縫い付けられている
ことを特徴とする接続部品。
【請求項４】
請求項２または３記載の接続部品において、
前記第２の接続部は、複数の貫通孔を備え、
前記第２の接続部は、前記第２の接続部が備える貫通孔を通した導電性糸により前記リード帯に縫い付けられている
ことを特徴とする接続部品。
【発明の詳細な説明】
【技術分野】
【０００１】
本発明は、ウエアラブルエレクトロニクスで用いられる接続部品に関する。
【背景技術】
【０００２】
電子部品の集積化により、コンピュータ，各種センサー，通信装置，アンテナなどを身体に身に着けた状態で動作させる「ウエアラブルデバイス」が実現されている。このウエアラブルデバイスにおいては、身に着けた能動デバイスとセンシング電極、アンテナなどの受動素子との間の信号接続において、導電性を有する面状または線状の素材で接続する必要がある。能動デバイスとしては、コンピュータ、センサー回路、通信装置などがある。
【０００３】
ここでは、センサー直近に能動素子を集積し、無線または人体経由で他のデバイスと通信するアクティブ電極およびアクティブアンテナなどの布状の導電性部品との接続も含み、このような系を以下では、「ウエアラブルエレクトロニクス」と呼ぶこととする。このウエアラブルエレクトロニクスにおいては、身体との親和性が重要視されるため、衣類をベースとした各パーツを用いてシステムを構成することが望ましい。
【０００４】
従来のエレクトロニクスは、金属をベースとした配線およびコネクタ、また、樹脂をベースとした配線被覆とコネクタハウジングによって構成されている。このため、ウエアラブルエレクトロニクスで重要となる主に衣類、すなわち繊維を用いた布をベースとした電極や装着用衣類とコンピュータなどに代表される従来電子機器を電気接続するための適切な手段が確立されていない。従って、特に配線とコネクタに関し、新しい概念の創出が求められている。
【０００５】
上記の背景を鑑みると、ウエアラブルエレクトロニクスにおける配線およびコネクタには、次に示すことの解決が求められる。具体的には、人体が装着する衣類と一体化した部品となるため、人体の運動や他の物体との接触に伴う位置ずれ、振動によって、布上の導電性の電極や配線などの部材と電子機器との接続部に発生する接続の外れの抑制。衣類の洗濯のための電子機器部分との着脱の容易性。人体に触れる部分の金属アレルギーに対する対策などがある。
【先行技術文献】
【非特許文献】
【０００６】
【非特許文献１】K. Hoffmann and R. Ruff, "Flexible dry surface-electrodes for ECG long-term monitoring", Proceedings of the 29th Annual International Conference of the IEEE EMBS Cite Internationale, SaP2C3.4, 2007.
【発明の概要】
【発明が解決しようとする課題】
【０００７】
上述した各対策は、構成する材料の選択，接続機構の選択などにより実施可能である。これらに対し、電気接続に関しては、次に示す問題がある。ウエアラブルエレクトロニクスにおいては、布状の導体など柔軟性のある導電構造が必要となる。このような部材と金属製のコネクタとの接続を、よく用いられているはんだ付けや溶接などで行うと、加わる熱により、導電構造における導電性を発現している物質の物性が変化し、伝導性が低下し、電気的接続が困難になる。このように、ウエアラブルエレクトロニクスにおいては、外れにくい状態で、配線などを電気的に接続することが容易ではないという問題があった。
【０００８】
本発明は、以上のような問題点を解消するためになされたものであり、ウエアラブルエレクトロニクスにおいて、外れにくい状態で、容易に配線などが電気的に接続や離間できるようにすることを目的とする。
【課題を解決するための手段】
【０００９】
本発明に係る接続部品は、衣服に装着されて可撓性を有するシート状の導電性部材と、導電性部材に電気的に接続する剛性材料からなる第１の接続部と、第１の接続部を導電性部材に押し付けて第１の接続部を導電性部材に電気的に接続させて固定する押し付け手段と、第１の接続部と着脱可能とされた剛性材料からなる第２の接続部と、上記衣服に装着されて第２の接続部に接続した可撓性を有するリード帯と、導電性部材の第１の接続部が取り付けてある近傍、およびリード帯の前記第２の接続部が取り付けてある近傍の各々に形成されたベロとを備え、導電性部材に形成されたベロとリード帯に取り付けられたベロとは、導電性部材及びリード帯それぞれの端部から互いに異なる方向に延在しており、かつ導電性部材及びリード帯の幅よりも短い幅である。
【００１０】
上記接続部品において、第１の接続部および第２の接続部は、スナップボタンである。
【００１１】
上記接続部品において、第１の接続部は凸部を備え、第２の接続部は凹部を備える。
【００１２】
上記接続部品において、第１の接続部は、複数の貫通孔を備え、第１の接続部は、第１の接続部が備える貫通孔を通した導電性糸により導電性部材に縫い付けられている。
【００１３】
上記接続部品において、第２の接続部は、複数の貫通孔を備え、第２の接続部は、第２の接続部が備える貫通孔を通した導電性糸によりリード帯に縫い付けられている。
【発明の効果】
【００１４】
以上説明したように、本発明によれば、可撓性を有するシート状の導電性部材に、押し付け手段で剛性材料からなる第１の接続部を電気的に接続するようにしたので、ウエアラブルエレクトロニクスにおいて、外れにくい状態で、容易に配線などが電気的に接続できるようになるという優れた効果が得られる。
【図面の簡単な説明】
【００１５】
【図１Ａ】図１Ａは、本発明の実施の形態１における接続部品の構成を示す構成図である。
【図１Ｂ】図１Ｂは、本発明の実施の形態１における接続部品の構成を示す構成図である。
【図１Ｃ】図１Ｃは、本発明の実施の形態１における接続部品の構成を示す構成図である。
【図２】図２は、本発明の実施の形態２における接続部品の構成を示す構成図である。
【図３】図３は、本発明の実施の形態３における接続部品の構成を示す構成図である。
【図４Ａ】図４Ａは、本発明の実施の形態４における接続部品の構成を示す構成図である。
【図４Ｂ】図４Ｂは、本発明の実施の形態４における接続部品の構成を示す構成図である。
【図４Ｃ】図４Ｃは、本発明の実施の形態４における接続部品の構成を示す構成図である。
【図４Ｄ】図４Ｄは、本発明の実施の形態４における接続部品の構成を示す構成図である。
【図５】図５は、本発明の実施の形態５における接続部品の構成を示す構成図である。
【図６Ａ】図６Ａは、本発明の実施の形態６における接続部品の構成を示す構成図である。
【図６Ｂ】図６Ｂは、本発明の実施の形態６における接続部品の構成を示す構成図である。
【図７】図７は、本発明の実施の形態７における接続部品の構成を示す構成図である。
【図８Ａ】図８Ａは、本発明の実施の形態８における接続部品の構成を示す構成図である。
【図８Ｂ】図８Ｂは、本発明の実施の形態８における接続部品の構成を示す構成図である。
【図９】図９は、本発明の実施の形態９における接続部品の構成を示す構成図である。
【図１０】図１０は、本発明の実施の形態１０における接続部品の構成を示す構成図である。
【図１１】図１１は、本発明の実施の形態１１における接続部品の構成を示す構成図である。
【図１２】図１２は、本発明の実施の形態１２における接続部品の構成を示す構成図である。
【図１３】図１３は、本発明の実施の形態１３における接続部品の構成を示す構成図である。
【図１４Ａ】図１４Ａは、本発明の実施の形態１４における接続部品の構成を示す構成図である。
【図１４Ｂ】図１４Ｂは、本発明の実施の形態１４における接続部品の構成を示す構成図である。
【図１４Ｃ】図１４Ｃは、本発明の実施の形態１４における接続部品の構成を示す構成図である。
【図１５】図１５は、本発明の実施の形態１５における接続部品の構成を示す構成図である。
【図１６Ａ】図１６Ａは、本発明における押し付け手段の構成例を示す構成図である。
【図１６Ｂ】図１６Ｂは、導電性部材１０に接続部１１を接続する構成を示す構成図である。
【発明を実施するための形態】
【００１６】
以下、本発明の実施の形態について図を参照して説明する。
【００１７】
［実施の形態１］
はじめに、本発明の実施の形態１について図１Ａ，図１Ｂ，図１Ｃを用いて説明する。図１Ａ，図１Ｂ，図１Ｃは、本発明の実施の形態１における接続部品の構成を示す構成図である。
【００１８】
この接続部品は、例えば、図１Ａの（ａ）に示すように、可撓性を有するシート状の導電性部材１０と、導電性部材１０に電気的に接続する剛性材料からなる第１の接続部１１とを備える。導電性部材１０は、例えば、導電性を有する繊維による糸を折ることで形成された導電性布から構成されている。例えば、繊維に、ＰＥＤＯＴ−ＰＳＳ（poly(3, 4-ethylenedioxythiophene):poly-(styrenesulfonate)）のナノ粒子を付着させることで、導電性を発現させることができる。また、第１の接続部１１は、例えば金属から構成されている。
【００１９】
また、この接続部品は、第１の接続部１１を導電性部材１０に押し付けて、第１の接続部１１を導電性部材１０に電気的に接続させて固定する押し付け手段１２を備える。従って、第１の接続部１１は、導電性部材１０に、加熱をすることなく電気的に接続されていることになる。
【００２０】
また、この接続部品は、図１Ａの（ｂ）に示すように、第１の接続部１１と着脱可能とされた剛性材料からなる第２の接続部１３と、第２の接続部１３に一端が接続したリード線（可撓性を有する配線構造）１４とを備える。第２の接続部１３は、第１の接続部１１と同様であり、例えば金属から構成されている。例えば、第１の接続部１１と第２の接続部１３とは、互いに嵌合する嵌合部を備え、この嵌合部で着脱可能とされている。なお、リード線１４の他端には、よく知られた電子機器接続に用いられるコネクタ１５が接続している。リード線１４は、例えば、樹脂製絶縁被覆導線である。
【００２１】
また、図１Ｂの（ｂ）に示すように、第２の接続部１３に、導電性を有する布から構成されたリード帯１６を接続するようにしてもよい。リード帯１６は、可撓性を有する配線構造である。押し付け手段１７により、第２の接続部１３をリード帯１６に押し付けて電気的に接続させればよい。リード帯１６は、導電性部材１０と同じ材料から構成すればよい。
【００２２】
また、図１Ｃの（ｂ）に示すように、リード帯１６に第３の接続部１８を接続し、更に、図１Ｃの（ｃ）に示すように、第３の接続部１８と着脱可能とされた第４の接続部２０と、第４の接続部２０に端が接続したリード帯１６ａとを備えるようにしてもよい。押し付け手段１９により、第３の接続部１８をリード帯１６に押し付けて電気的に接続させ、押し付け手段２１により、第４の接続部２０をリード帯１６ａに押し付けて電気的に接続させればよい。このように、導電性部材１０に対し、２つのリード帯１６，リード帯１６ａを多段に接続（連結）することもできる。
【００２３】
上述したように、実施の形態１によれば、押し付け手段１２により、第１の接続部１１を導電性部材１０に押し付けて、第１の接続部１１を導電性部材１０に電気的に接続させて固定するようにした。この結果、実施の形態１によれば、第１の接続部１１を、導電性部材１０に、加熱をすることなく電気的に接続できるようになり、導電性部材１０における導電性を発現している物質の物性を変化させることなく、伝導性の低下を抑制し、電気的接続が容易にできるようになる。また、押し付け手段１２により押し付けて固定しているので、導電性部材１０は、第１の接続部１１から外れにくい状態となる。このように、実施の形態１によれば、ウエアラブルエレクトロニクスにおいて、外れにくい状態で、容易に配線などが電気的に接続できるようになる。
【００２４】
［実施の形態２］
次に、本発明の実施の形態２について図２を用いて説明する。図２は、本発明の実施の形態２における接続部品の構成を示す構成図である。
【００２５】
この接続部品は、例えば、図２の（ａ）に示すように、可撓性を有するシート状の導電性部材１０と、導電性部材１０に電気的に接続する剛性材料からなる第１の接続部１１とを備える。また、この接続部品は、第１の接続部１１を導電性部材１０に押し付けて、第１の接続部１１を導電性部材１０に電気的に接続させて固定する押し付け手段１２を備える。
【００２６】
また、この接続部品は、図２の（ｂ）に示すように、第１の接続部１１と着脱可能とされた剛性材料からなる第２の接続部１３と、第２の接続部１３に端が接続したリード帯１６とを備える。上述した構成は、図１Ｂを用いて説明した実施の形態１と同様である。
【００２７】
実施の形態２では、第１の接続部１１の部分２２ａと第２の接続部１３の部分２２ｂとによるロック機構２２を備える。ロック機構２２は、第１の接続部１１と第２の接続部１３との着状態をロックする。また、ロック機構２２はロックを解除可能とされている。例えば、部分２２ａが部分２２ｂに嵌合する構造とされている。ロック機構２２は、部分２２ａが部分２２ｂに嵌合した状態で、この嵌合状態を固定（ロック）する。
【００２８】
接続部品は、衣服などに取り付けられるものであり、衣服を着用している人の動作により、接続している第１の接続部１１と第２の接続部１３とが、外れやすい状態となっている。これに対し、ロック機構２２を設けることで、接続している第１の接続部１１と第２の接続部１３とが、外れにくくなる。
【００２９】
また、衣服に固定されている導電性部材１０は、衣服とともに洗濯可能とされているが、リード帯１６はこの限りではない。このため、衣服を洗濯するときには、第２の接続部１３を第１の接続部１１より取り外すことになる。このような場合、ロック機構２２によるロックの状態を解除し、第２の接続部１３を第１の接続部１１より取り外せばよい。ロック機構２２は、各種の構造（手法）があるが、具体的な構造例は、後述する。
【００３０】
［実施の形態３］
次に、本発明の実施の形態３について図３を用いて説明する。図３は、本発明の実施の形態３における接続部品の構成を示す構成図である。
【００３１】
図１Ｂを用いて説明した実施の形態１の接続部品において、図３に示すように、リード帯１６に、コネクタ１５が接続したリード線１４を接続してもよい。他の構成は、前述した実施の形態１と同様である。
【００３２】
［実施の形態４］
次に、本発明の実施の形態４について図４Ａ，図４Ｂ，図４Ｃ，図４Ｄを用いて説明する。図４Ａ，図４Ｂ，図４Ｃ，図４Ｄは、本発明の実施の形態４における接続部品の構成を示す構成図である。図４Ａ，図４Ｂ，図４Ｃ，図４Ｄでは、実施の形態１で説明した接続部品を、衣服２４に装着した状態を示している。接続部品の構成は、実施の形態１と同様である。
【００３３】
例えば、図４Ａに示すように、衣服２４に、カバー２５を取り付け、カバー２５によりリード線１４を固定する構成が考えられる。また、図４Ｂに示すように、リード帯１６を、縫い糸２６を用いて衣服に縫い付けて固定してもよい。また、リード帯１６を糸状とし、これを衣服に縫い付けるようにしてもよい。また、図４Ｃに示すように、接着層２７により、リード帯１６を衣服２４に貼り付けて固定してもよい。また、図４Ｄに示すように、導電性糸で衣服２４に形成した刺繍にからなるリード帯１６ｂを用いるようにしてもよい。刺繍によるリード帯１６ｂに、第２の接続部１３を押し付け手段１７で接続すればよい。
【００３４】
［実施の形態５］
次に、本発明の実施の形態５について図５を用いて説明する。図５は、本発明の実施の形態５における接続部品の構成を示す構成図である。なお、図５において、（ａ−１），（ｂ−１）は平面図であり、（ａ−２），（ｂ−２）は断面図である。
【００３５】
この接続部品は、例えば、図５の（ａ−１），（ａ−２）に示すように、可撓性を有するシート状の導電性部材１０と、導電性部材１０に電気的に接続する剛性材料からなる第１の接続部１１とを備える。第１の接続部１１は、凸部１１ａを備える。また、第１の接続部１１は、複数の貫通穴１１ｂを備える。実施の形態５では、第１の接続部１１は、貫通穴１１ｂを通した導電性糸２９により導電性部材１０に縫い付けられることで、導電性部材１０に押し付けられている。これにより、第１の接続部１１は、導電性部材１０に電気的に接続して固定されている。従って、実施の形態５では、導電性糸２９が、押し付け手段となり、第１の接続部１１は、導電性部材１０に、加熱をすることなく電気的に接続されていることになる。
【００３６】
また、図５の（ｂ−１），（ｂ−２）に示すように、導電性を有する布から構成されたリード帯１６と、リード帯１６に電気的に接続する剛性材料からなる第２の接続部１３とを備える。第２の接続部１３は、凹部１３ａを備える。また、第２の接続部１３は、複数の貫通穴１３ｂを備える。実施の形態５では、第２の接続部１３は、貫通穴１３ｂを通した導電性糸３０によりリード帯１６に縫い付けられることで、リード帯１６に押し付けられている。これにより、第２の接続部１３は、リード帯１６に電気的に接続して固定されている。従って、導電性糸３０が、押し付け手段となり、第２の接続部１３は、リード帯１６に、加熱をすることなく電気的に接続されていることになる。
【００３７】
実施の形態５では、第１の接続部１１の凸部１１ａは、第２の接続部１３の凹部１３ａに嵌合可能とされている。嵌合可能とされた凸部１１ａと凹部１３ａとにより、第１の接続部１１と第２の接続部１３とは、着脱可能とされている。凸部１１ａを凹部１３ａに嵌合することで、第１の接続部１１と第２の接続部１３は、電気的に接続された状態となる。
【００３８】
［実施の形態６］
次に、本発明の実施の形態６について図６Ａ，図６Ｂを用いて説明する。図６Ａ，図６Ｂは、本発明の実施の形態６における接続部品の構成を示す構成図である。図６Ａは、平面を示し、図６Ｂは断面を示している。
【００３９】
この接続部品は、図６Ａ，図６Ｂの（ａ）に示すように、可撓性を有するシート状の導電性部材１０と、導電性部材１０に電気的に接続する剛性材料からなる第１の接続部１１とを備える。また、図６Ａ，図６Ｂの（ｂ）に示すように、導電性を有する布から構成されたリード帯１６と、リード帯１６に電気的に接続する剛性材料からなる第２の接続部１３とを備える。実施の形態６では、第１の接続部１１および第２の接続部１３は、スナップボタンであり、第１の接続部１１が雄ボタンにあたり、第２の接続部１３が雌ボタンにあたる。
【００４０】
雄ボタンとなる第１の接続部１１は、凸部１１ａを備える。また、第１の接続部１１は、複数の貫通穴１１ｂを備える。また、雌ボタンとなる第２の接続部１３は、凹部１３ａを備える。また、第２の接続部１３は、複数の貫通穴１３ｂを備える。
【００４１】
第１の接続部１１は、貫通穴１１ｂを通した導電性糸２９により導電性部材１０に縫い付けられることで、導電性部材１０に押し付けられている。これにより、第１の接続部１１は、導電性部材１０に電気的に接続して固定されている。同様に、第２の接続部１３は、貫通穴１３ｂを通した導電性糸３０によりリード帯１６に縫い付けられることで、リード帯１６に押し付けられている。これにより、第２の接続部１３は、リード帯１６に電気的に接続して固定されている。
【００４２】
従って、実施の形態６でも、導電性糸２９（導電性糸３０）が、押し付け手段となり、第１の接続部１１（第２の接続部１３）は、導電性部材１０（リード帯１６）に、加熱をすることなく電気的に接続されていることになる。
【００４３】
また、実施の形態６では、導電性部材１０の第１の接続部１１が取り付けてある近傍に、ベロ３１が形成されている。また、リード帯１６の第２の接続部１３が取り付けてある近傍に、ベロ３１ａが形成されている。
【００４４】
実施の形態６でも、凸部１１ａを凹部１３ａに嵌合することで、第１の接続部１１と第２の接続部１３を、電気的に接続された状態とする。また、導電性部材１０よりリード帯１６を離間させることで、嵌合状態を解消する。このとき、ベロ３１およびベロ３１ａを設け、指でつまめる箇所を設けているので、導電性部材１０よりリード帯１６を離間させることがより容易に行えるようになる。
【００４５】
［実施の形態７］
次に、本発明の実施の形態７について図７を用いて説明する。図７は、本発明の実施の形態７における接続部品の構成を示す構成図である。実施の形態７では、図２を用いて説明したロック機構２２について、より詳細に説明する。図７において、（ａ）および（ｂ）は、図２と同様である。
【００４６】
ロック機構２２は、図７の（ｃ）に示すように、雄型の嵌合部となる部分２２ａと、雌型の嵌合部となる部分２２ｂとから構成されている。部分２２ａおよび部分２２ｂは、金属から構成されている。また、部分２２ａは、２つの凸部２２ｃを備える。２つの凸部２２ｃは、バネにより互いに外側に向かう力を受けている。また、部分２２ｂは、２つの切欠部２２ｄを備える。部分２２ａの２つの凸部２２ｃを、部分２２ｂの２つの切欠部２２ｄに収容させて、部分２２ａを部分２２ｂに嵌合する。
【００４７】
２つの凸部２２ｃは、互いに離れる方向に力を受けているので、上記嵌合状態では、各々の凸部２２ｃが、対応する切欠部２２ｄに押し付けられた状態となる。これにより、部分２２ａを部分２２ｂとの嵌合状態は、ロックされた状態となる。また、２つの凸部２２ｃに対して互いに近づく方向に、指などで力を加えることで、各々の凸部２２ｃが、対応する切欠部２２ｄから離間させることができ、ロック状態を解消させるせることができ、部分２２ａを部分２２ｂより離間させることができる。これらの形状には、多くの変形が考えられるが、上述したロック機構２２は、バネを利用した金属片同士のロック・リリースに関わる構造である。
【００４８】
また、ロック機構２２は、図７の（ｄ−２），（ｅ−２）に示すように、雄型の嵌合部となる部分２２ａ’と、図７の（ｄ−１），（ｅ−１）に示すように、雌型の嵌合部となる部分２２ｂ’とから構成することもできる。部分２２ａ’および部分２２ｂ’は、例えば、金属から構成されている。
【００４９】
部分２２ａ’は、図７の（ｄ−２），（ｅ−２）に示すように、凸部２２ｅを備える。複数の凸部２２ｅを備えるようにしてもよい。凸部２２ｅは、挿抜容易性および人体の装着負荷低減のために丸みを帯びている。また、部分２２ｂ’は、図７の（ｄ−１），（ｅ−１）に示すように、金属弾性を利用した収容部２２ｆを備える。図７の（ｄ−３）に示すように、部分２２ａ’の凸部２２ｅを、部分２２ｂの収容部２２ｆに収容させることで、部分２２ａ’を部分２２ｂ’に嵌合する。
【００５０】
凸部２２ｅを収容部２２ｆに嵌合させるときに、収容部２２ｆは一時的に拡張する。しかしながら、収容部２２ｆを構成する部材の弾性による初期形状に復元しようとする力によって、収容部２２ｆは初期の状態に復元されて凸部２２ｅを挟む状態となり、ロック状態を実現する。また、凸部２２ｅと収容部２２ｆを手などで反対方向の力で引き離すことによって、ロック状態を解消させ、部分２２ａを部分２２ｂより離間させることができる。
【００５１】
これらの形状には、多くの変形が考えられるが、部分２２ａ’および部分２２ｂ’から構成するロック機構２２は、部分２２ｂ’を構成している板状の部材からなる収容部２２ｆ自身の弾性を利用した金属片同士のロック・リリースに関わる構造である。
【００５２】
［実施の形態８］
次に、本発明の実施の形態８について図８Ａ，図８Ｂを用いて説明する。図８Ａ，図８Ｂは、本発明の実施の形態８における接続部品の構成を示す構成図である。
【００５３】
この接続部品は、例えば、図８Ａの（ｃ）に示すように、導電性部材１０と、導電性部材１０に電気的に接続する剛性材料からなる第１の接続部１１とを備える。第１の接続部１１は、例えば金属から構成されている。実施の形態８では、図８Ａの（ｂ）に示すように、第１の接続部１１にカシメ頭３５が形成されている。また、図８Ａの（ａ）に示すように、導電性部材１０には、穴１０ａが形成されている。
【００５４】
実施の形態８では、カシメ頭３５に、導電性部材１０の穴１０ａを通してカシメ足３６の凸部を嵌合させることで、第１の接続部１１を導電性部材１０に電気的に接続させて固定する。実施の形態８では、カシメ頭３５およびカシメ足３５による打ち込み金具で押し付け手段が構成されている。
【００５５】
また、図８Ｂに示すように、穴を開けていない導電性部材１０を挾み、カシメ足３６の凸部を嵌合させることで、第１の接続部１１を導電性部材１０に電気的に接続させて固定してもよい。
【００５６】
［実施の形態９］
次に、本発明の実施の形態９について図９を用いて説明する。図９は、本発明の実施の形態９における接続部品の構成を示す構成図である。この接続部品は、図９の（ｃ）に示すように、導電性部材１０と、導電性部材１０に電気的に接続する剛性材料からなる接続部３７とを備える。接続部３７は、例えば金属から構成されている。また、接続部３７には、リード線１４が接続し、リード線１４には、コネクタ１５が取り付けられている。
【００５７】
図９の（ｂ）に示すように、接続部３７は、金属板から構成され、本体３７ａに圧着部３７ｂが接続されている。圧着部３７ｂは、折り返しシロを備える。図９の（ｃ）に示すように、圧着部３７ｂの折り返し代を導電性部材１０の一端を挟んで折り返して圧着する。圧着部３７ｂの折り返し代は、辺に複数の突起部からなる脱落防止の機構を備え、布状の導電性部材１０に引っ掛ける構成となっている。図９では、脱落防止の機構として、のこぎり歯状の構造を示している。のこぎり歯状の脱落防止機構により、あらゆる方向の力に対する脱落防止能力が向上する。
【００５８】
［実施の形態１０］
次に、本発明の実施の形態１０について図１０を用いて説明する。図１０は、本発明の実施の形態１０における接続部品の構成を示す構成図である。なお、図１０において、（ａ−１），（ｂ−１）は平面図であり、（ａ−２），（ｂ−２）は断面図である。
【００５９】
この接続部品は、例えば、図１０の（ａ−１），（ａ−２）に示すように、可撓性を有するシート状の導電性部材１０と、導電性部材１０に電気的に接続する剛性材料からなる第１の接続部１１とを備える。実施の形態１０では、導電性部材１０が複数の穴部１０ａを備える。また、第１の接続部１１は、折り曲げ可能な複数の爪部３９を備える。実施の形態１０では、第１の接続部１１は、爪部３９を穴部１０ａに通し、加えて折り曲げることで、導電性部材１０に押し付けられている。これにより、第１の接続部１１は、導電性部材１０に電気的に接続して固定されている。従って、実施の形態１０では、爪部３９が、押し付け手段となり、第１の接続部１１は、導電性部材１０に、加熱をすることなく電気的に接続されていることになる。
【００６０】
また、図１０の（ｂ−１），（ｂ−２）に示すように、導電性を有する布から構成されたリード帯１６と、リード帯１６に電気的に接続する剛性材料からなる第２の接続部１３とを備える。リード帯１６は、複数の穴部１３ａを備える。また、第２の接続部１３は、折り曲げ可能な複数の爪部４０を備える。第２の接続部１３は、爪部４０を穴部１３ａに通し、加えて折り曲げることで、リード帯１６に押し付けられている。これにより、第２の接続部１３は、リード帯１６に電気的に接続して固定されている。従って、爪部４０が、押し付け手段となり、第２の接続部１３は、リード帯１６に、加熱をすることなく電気的に接続されていることになる。
【００６１】
［実施の形態１１］
次に、本発明の実施の形態１１について図１１を用いて説明する。図１１は、本発明の実施の形態１１における接続部品の構成を示す構成図である。この接続部品は、まず、図１１の（ａ）に示すように、導電性部材１０と、導電性部材１０に電気的に接続する第１の接続部４１ａとを備える。また、図１１の（ｂ）に示すように、リード帯１６と、リード帯１６に電気的に接続する第２の接続部４１ｂとを備える。第１の接続部４１ａおよび第２の接続部４１ｂは、いわゆる線ファスナーである。
【００６２】
第１の接続部４１ａは、導電性部材１０の直線状とされた端辺の線上に固定された複数の務歯から構成されている。第１の接続部４１ａを構成する複数の務歯は、所定の間隔で配列している。各務歯は、導電性部材１０の端辺を挟むことで、固定されている。同様に、第２の接続部４１ｂは、リード帯１６の直線状とされた端辺の線上に固定された複数の務歯から構成されている。第２の接続部４１ｂを構成する複数の務歯は、所定の間隔で配列している。各務歯は、リード帯１６の端辺を挟むことで、固定されている。また、第２の接続部４１ｂには、スライダー４１ｃが取り付けられている。
【００６３】
図１１の（ｃ）に示すように、第１の接続部４１ａと第２の接続部４１ｂとは、スライダー４１ｃをスライドさせ、対応する各務歯の頭部を噛み合わせることで、嵌合した状態とすることができる。また、スライダー４１ｃを逆方向にスライドさせることで、噛み合わせ状態を解消すれば、第１の接続部４１ａと第２の接続部４１ｂとを離間させることができる。
【００６４】
第１の接続部４１ａの各務歯は、導電性部材１０の端辺を挟むことで固定されており、また、導電性部材１０に電気的に接続している。同様に、第２の接続部４１ｂの各務歯は、リード帯１６の端辺を挟むことで固定されており、また、リード帯１６に電気的に接続している。各務歯は、例えば金属などの導電性を有する剛性材料から構成されている。これらの各務歯の挾み機構の部分が、押し付け手段となる。
【００６５】
［実施の形態１２］
次に、本発明の実施の形態１２について図１２を用いて説明する。図１２は、本発明の実施の形態１２における接続部品の構成を示す構成図である。この接続部品は、まず、図１２の（ａ）に示すように、導電性部材１０と、導電性部材１０に電気的に接続する第１の接続部１１とを備える。第１の接続部１１は、図示しない押し付け手段により、導電性部材１０に押し付けられ、電気的に接続して固定されている。
【００６６】
また、図１２の（ｂ）に示すように、リード帯１６と、リード帯１６に電気的に接続する第２の接続部１３とを備える。第２の接続部１３も、図示しない押し付け手段により、リード帯１６に押し付けられ、電気的に接続して固定されている。押し付け手段は、前述したいずれかの実施の形態で説明した構成を用いればよい。
【００６７】
また、実施の形態１２では、まず、第１の接続部１１の主面に面ファスナー雄部４２ａが固定され、また、第２の接続部１３の主面に面ファスナー雌部４２ｂが固定されている。面ファスナー雄部４２ａは、導電性を有するシート状の本体に、導電性を有するプラスチックから構成された複数のフック部が固定されている。また、面ファスナー雌部４２ｂは、導電性を有するシート状の本体に、導電性を有するプラスチックから構成された複数のループ部が固定されている。
【００６８】
実施の形態１２では、面ファスナー雄部４２ａのフック部形成面と、面ファスナー雄部４２ｂのループ部形成面とを当接させることで、両者を係着した状態とすることができる。このようにして、面ファスナー雄部４２ａと面ファスナー雄部４２ｂを係着させれば、第１の接続部１１と第２の接続部１３とを電気的に接続した状態とすることができる。
【００６９】
［実施の形態１３］
次に、本発明の実施の形態１３について図１３を用いて説明する。図１３は、本発明の実施の形態１３における接続部品の構成を示す構成図である。この接続部品は、まず、図１３の（ａ）に示すように、導電性部材１０と、導電性部材１０に電気的に接続する第１の接続部１１とを備える。第１の接続部１１は、押し付け手段１２により、導電性部材１０に押し付けられ、電気的に接続して固定されている。押し付け手段１２は、第１の接続部１１の一部を覆って導電性部材１０に貼り付けられている。また、実施の形態１３では、第１の接続部１１がフック状の留め具４３を備える。
【００７０】
また、図１３の（ｂ）に示すように、リード帯１６と、リード帯１６の一端を筒状に丸めて形成した第２の接続部４４とを備える。実施の形態１３では、図１３の（ｃ）に示すように、第１の接続部１１の留め具４３の一部を第２の接続部４４の筒部内に差し込むことで、これらを電気的に接続した状態とする。
【００７１】
［実施の形態１４］
次に、本発明の実施の形態１４について図１４Ａ，図１４Ｂ，図１４Ｃを用いて説明する。図１４Ａ，図１４Ｂ，図１４Ｃは、本発明の実施の形態１４における接続部品の構成を示す構成図である。この接続部品は、まず、図１４Ａの（ａ）に示すように、導電性部材１０と、導電性部材１０に電気的に接続する第１の接続部１１とを備える。第１の接続部１１は、押し付け手段１２により、導電性部材１０に押し付けられ、電気的に接続して固定されている。また、導電性部材１０は、固定部１２０により図示しない衣類に固定されている。
【００７２】
また、図１４Ａの（ｂ）に示すように、リード帯１６と、リード帯１６に電気的に接続する第２の接続部１３とを備える。第２の接続部１３は、押し付け手段１７により、リード帯１６に押し付けられ、電気的に接続して固定されている。また、リード帯１６は、固定部１２１により、図示しない衣類に固定されている。
【００７３】
また、実施の形態１４では、図１４Ａに示すように、まず、第１の接続部１１の先端部に係合爪１１１が形成され、また、第２の接続部１３の先端部にも係合爪１３１が形成されている。係合爪１１１に係合爪１３１を引っ掛けることで、第１の接続部１１と第２の接続部１３とを電気的に接続した状態とすることができる。
【００７４】
なお、導電性部材１０に第１の接続部１１が押し付けられている状態におけるこれらの部分の厚さは、例えば５ｍｍ程度と、薄い状態とすることが望ましい。また、導電性部材１０およびリード帯１６は、角部を丸めた（例えばＲ＝５ｍｍ）状態とするとよい。これらは、人体に装着して用いられるので、角がない状態が装着負荷の低減につながる。
【００７５】
また、図１４Ｂに示すように、第１の接続部１１の先端部に係合爪１１２が形成され、また、第２の接続部１３の先端部には、係合穴１３２が形成されているようにしてもよい。係合穴１３２に係合爪１１２を引っ掛けることで、第１の接続部１１と第２の接続部１３とを電気的に接続した状態とすることができる。
【００７６】
また、図１４Ｃに示すように、リード帯１６を、伸縮性を有するゴム部材４５を介して固定部１２１に固定するようにしてもよい。なお、図１４Ｃでは、リード帯１６に、リード線１４が接続し、また、リード線１４には、コネクタ１５が接続されている。
【００７７】
このように、ゴム部材４５を介してリード帯１６を固定すれば、第２の接続部１３（係合爪１３１）と固定部１２１との距離を可変とすることができる。この構成とすれば、第２の接続部１３を第１の接続部１１の側に引っ張り、係合爪１１１に係合爪１３１を引っ掛けることができる。係合爪１１１と係合爪１３１とが噛み合った状態で、第２の接続部１３が引っ張られる状態を解消すれば、第１の接続部１１と第２の接続部１３との接続状態が得られる。また、この状態より、再度、第２の接続部１３を第１の接続部１１の側に引っ張り、係合爪１１１と係合爪１３１との噛み合い状態を解消し、第２の接続部１３が引っ張られる状態を解消すれば、第１の接続部１１と第２の接続部１３との接続を解消できる。
【００７８】
［実施の形態１５］
次に、本発明の実施の形態１５について図１５を用いて説明する。図１５は、本発明の実施の形態１５における接続部品の構成を示す構成図である。この接続部品は、図１５の（ａ）に示すように、可撓性を有するシート状の導電性部材１０と、導電性部材１０に電気的に接続する剛性材料からなる第１の接続部１１とを備える。また、この接続部品は、第１の接続部１１を導電性部材１０に押し付けて、第１の接続部１１を導電性部材１０に電気的に接続させて固定する押し付け手段１２を備える。これらの構成は、実施の形態１と同様である。
【００７９】
また、この接続部品は、図１５の（ｂ）に示すように、第１の接続部１１と着脱可能とされた剛性材料からなる第２の接続部１３と、第２の接続部１３に一端が接続したリード帯１６とを備える。第２の接続部１３は、第１の接続部１１と同様であり、例えば金属から構成されている。例えば、第１の接続部１１と第２の接続部１３とは、互いに嵌合する嵌合部を備え、この嵌合部で着脱可能とされている。これらの構成も、実施の形態１と同様である。
【００８０】
実施の形態１５では、各接続部およびリード帯１６の表面に、機能層４６を備える。機能層４６は、人体に装着した状態で人体に接触する部分に形成されていればよい。機能層４６は、樹脂による被膜であり、また、銀皮膜などによる金属アレルギー対策膜である。また、機能層４６は、防錆コート，防水被膜、電磁シールド膜である。
【００８１】
ところで、押し付け手段は、様々な形態が取り得る。例えば、図１６Ａに示すように、押し付け手段４７により、導電性部材１０の主面に第１の接続部１１を押し付ける状態とすればよい。押し付け手段４７としては、打ち込み金具、普通糸や導電性糸による縫い付け、ホチキス（登録商標）針による固定、接着剤を被せることによる固定、導電性接着剤による固定、粘着テープを被せることによる固定、螺子，ボルト・ナットなどによる固定がある。
【００８２】
また、図１６Ｂに示すように、導電性部材１０の折り込み部４８に、接続部１１の一端を織り込む状態で固定してもよい。折り込み部４８は、縫い込みであってもよい。
【００８３】
以上に説明したように、本発明によれば、可撓性を有するシート状の導電性部材に、押し付け手段で剛性材料からなる第１の接続部を電気的に接続するようにしたので、ウエアラブルエレクトロニクスにおいて、外れにくい状態で、容易に配線などが電気的に接続できるようになる。
【００８４】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００８５】
１０…導電性部材、１１…第１の接続部、１２…押し付け手段、１３…第２の接続部、１４…リード線（可撓性を有する配線構造）、１５…コネクタ。
【図１Ａ】
2018136990.tif 000003
【図１Ｂ】
2018136990.tif 000004
【図１Ｃ】
2018136990.tif 000005
【図２】
2018136990.tif 000006
【図３】
2018136990.tif 000007
【図４Ａ】
2018136990.tif 000008
【図４Ｂ】
2018136990.tif 000009
【図４Ｃ】
2018136990.tif 000010
【図４Ｄ】
2018136990.tif 000011
【図５】
2018136990.tif 000012
【図６Ａ】
2018136990.tif 000013
【図６Ｂ】
2018136990.tif 000014
【図７】
2018136990.tif 000015
【図８Ａ】
2018136990.tif 000016
【図８Ｂ】
2018136990.tif 000017
【図９】
2018136990.tif 000018
【図１０】
2018136990.tif 000019
【図１１】
2018136990.tif 000020
【図１２】
2018136990.tif 000021
【図１３】
2018136990.tif 000022
【図１４Ａ】
2018136990.tif 000023
【図１４Ｂ】
2018136990.tif 000024
【図１４Ｃ】
2018136990.tif 000025
【図１５】
2018136990.tif 000026
【図１６Ａ】
2018136990.tif 000027
【図１６Ｂ】
2018136990.tif 000028